(57)【要約】【課題】ワイヤが長い場合でも断線し難いワイヤ放電加工装置を提供することを目的とする。【解決手段】ワイヤとワークとの間隙に加工液を介在させると共に所定の加工条件によりワークを加工するワイヤ放電加工装置において、標準加工条件を保持する加工条件記憶手段と、加工エネルギー量の、ワーク板厚及び上下ノズル高さ依存性を示す加工エネルギー情報を記憶する加工エネルギー情報記憶手段と、ワーク板厚及び上下ノズル高さ情報に基づき前記加工エネルギー情報から、荒加工における加工エネルギー量を決定する加工エネルギー決定手段と、前記加工条件記憶手段から送られてきた標準加工条件に含まれる加工エネルギー量を、前記決定された加工エネルギー量で変更する加工条件変更手段とを備える。【選択図】図１
2006130657.tif 000002
【特許請求の範囲】
【請求項１】
ワイヤとワークとの間隙に加工液を介在させると共に所定の加工条件によりワークを加工するワイヤ放電加工装置において、加工条件を設定する際の基準とする、充電電圧、オン時間、オフ時間、寄せ量を有した標準加工条件を保持する加工条件記憶手段と、加工エネルギー量の、ワーク板厚及び上下ノズル高さに対する依存性を示す加工エネルギー情報を記憶する加工エネルギー情報記憶手段と、入力されたワーク板厚及び上下ノズル高さ情報に基づき前記加工エネルギー情報記憶手段に記憶された加工エネルギー情報から、荒加工における加工エネルギー量を決定する加工エネルギー決定手段と、前記加工条件記憶手段に保持され、加工条件記憶手段から送られてきた標準加工条件に含まれる加工エネルギー量を、前記決定された加工エネルギー量で変更することにより前記標準加工条件を変更する加工条件変更手段とを具備し、前記変更した加工条件によりワークを加工することを特徴とするワイヤ放電加工装置。
【請求項２】
ワイヤとワークとの間隙に加工液を介在させると共に所定の加工条件によりワークを加工するワイヤ放電加工装置において、加工条件を設定する際の基準とする、充電電圧、オン時間、オフ時間、寄せ量、液流量を有した標準加工条件を保持する加工条件記憶手段と、液流量の、ワーク板厚及びノズル高さに対する依存性を示す液流量情報を記憶する液流量情報記憶手段と、入力されたワーク板厚及びノズル高さ情報に基づき前記液流量情報記憶手段に記憶された液流量情報から、荒加工における液流量を決定する液流量決定手段と、前記加工条件記憶手段に保持され、加工条件記憶手段から送られてきた標準加工条件に含まれる液流量を、前記決定された液流量で変更することにより、前記標準加工条件を変更する液流量変更手段とを具備し、前記変更した加工条件によりワークを加工することを特徴とするワイヤ放電加工装置。
【請求項３】
ワイヤとワークとの間隙に加工液を介在させると共に所定の加工条件によりワークを加工するワイヤ放電加工装置において、加工条件を設定する際の基準とする、充電電圧、オン時間、オフ時間、寄せ量を有した標準加工条件を保持する加工条件記憶手段と、ワイヤの寄せ量の、ワーク板厚及びノズル高さに対する依存性を示す寄せ量補正情報を記憶する寄せ量補正情報記憶手段と、入力されたワーク板厚及びノズル高さ情報に基づき前記寄せ量補正情報記憶手段に記憶された寄せ量補正情報から、加工におけるワイヤの寄せ量補正値を決定する寄せ量補正値決定手段と、前記加工条件記憶手段に保持され、加工条件記憶手段から送られてきた標準加工条件に含まれるワイヤ寄せ量を、前記決定されたワイヤ寄せ量補正値で変更することにより、前記標準加工条件を変更する寄せ量補正値変更手段とを具備し、前記変更した加工条件によりワークを加工することを特徴とするワイヤ放電加工装置。
【発明の詳細な説明】
【技術分野】
【０００１】
この発明は、ワイヤ放電加工装置に関するものである。
【背景技術】
【０００２】
一般に、ワイヤ放電加工は、荒加工、中加工、中仕上げ加工、仕上げ加工というように、加工条件をエネルギーの大きいものから小さいものに切り換えながら、３〜７工程の加工行なう。これは、面粗さを段々に細かくすることにより加工時間を短縮するという目的に加え、加工面の真直度を出すという目的による。また、ワイヤ放電加工では、加工による、放電反発力、静電気力などによる、ワイヤの振動から、被加工物の中心部分に対向するワイヤの部分はへこんだり、あるいは、膨らんだいわゆる「たいこ形状」になることが知られている。また、ワイヤ放電加工は、１回目加工(荒加工)と、２回目以降の加工（中加工、中仕上げ加工、仕上げ加工等）とでは、全く加工状況が異なる。１回目の加工では、無垢のワークを加工するため、加工屑がワークから十分に排除されず、加工屑の残存が原因となってワイヤが断線する心配がある。
そこで、第１４図に示す従来のワイヤ放電加工装置は、たとえば特許文献１に示されているように、ワークの板厚、ノズル高さ等を入力する入力手段１２０、充電電圧、オン時間、オフ時間等を記憶した加工条件記憶手段１２１、ノズル高さ等からノズル液圧を計算する液圧計算手段１２２、計算されたノズル液圧に基づき加工条件を変更する加工条件変更手段１２３を備え、ノズルの高さから、ノズル液圧すなわち加工液圧を求め、加工液圧から加工条件を変更する。
【特許文献１】特公平７−１６８２５号公報
【発明の開示】
【発明が解決しようとする課題】
【０００３】
しかしながら、１回目の加工では、ノズルがワークから十分に離れていた場合、加工液圧ではなく、ワイヤの長さがワイヤの断線の原因となるため、加工液圧から加工条件を算出する方式ではワイヤの断線を確実に防止することが困難である。実際の実験でも、上ノズルからワークまでの距離２ｍｍ（板厚２０ｍｍ、Φ．２５ワイヤの場合）の場合、加工液圧は変化するが、それ以上離れても加工液圧は変わらない。しかしながら、ワイヤが長いとたわみやすく、短絡時の制御がききにくくなり、ワイヤが断線する可能性が高くなるという問題点があった。この発明は、上述した課題を解決するためになされたものであり、ノズルがワークから離れてもワイヤが断線しにくいワイヤ放電加工装置を提供することを目的とする。さらに、ワイヤ放電加工では、加工面における面精度と加工精度が大切であるが、従来はこのような加工の精度について考慮されていなかった。
【課題を解決するための手段】
【０００４】
この発明の第１の構成によるワイヤ放電加工装置は、ワイヤとワークとの間隙に加工液を介在させると共に所定の加工条件によりワークを加工するワイヤ放電加工装置において、加工条件を設定する際の基準とする、充電電圧、オン時間、オフ時間、寄せ量を有した標準加工条件を保持する加工条件記憶手段と、加工エネルギー量の、ワーク板厚及び上下ノズル高さに対する依存性を示す加工エネルギー情報を記憶する加工エネルギー情報記憶手段と、入力されたワーク板厚及び上下ノズル高さ情報に基づき前記加工エネルギー情報記憶手段に記憶された加工エネルギー情報から、荒加工における加工エネルギー量を決定する加工エネルギー決定手段と、前記加工条件記憶手段に保持され、加工条件記憶手段から送られてきた標準加工条件に含まれる加工エネルギー量を、前記決定された加工エネルギー量で変更することにより前記標準加工条件を変更する加工条件変更手段とを具備し、前記変更した加工条件によりワークを加工するように構成されている。
この発明の第２の構成によるワイヤ放電加工装置は、ワイヤとワークとの間隙に加工液を介在させると共に所定の加工条件によりワークを加工するワイヤ放電加工装置において、加工条件を設定する際の基準とする、充電電圧、オン時間、オフ時間、寄せ量、液流量を有した標準加工条件を保持する加工条件記憶手段と、液流量の、ワーク板厚及びノズル高さに対する依存性を示す液流量情報を記憶する液流量情報記憶手段と、入力されたワーク板厚及びノズル高さ情報に基づき前記液流量情報記憶手段に記憶された液流量情報から、荒加工における液流量を決定する液流量決定手段と、前記加工条件記憶手段に保持され、加工条件記憶手段から送られてきた標準加工条件に含まれる液流量を、前記決定された液流量で変更することにより、前記標準加工条件を変更する液流量変更手段とを具備し、前記変更した加工条件によりワークを加工するように構成されている。
この発明の第３の構成によるワイヤ放電加工装置は、ワイヤとワークとの間隙に加工液を介在させると共に所定の加工条件によりワークを加工するワイヤ放電加工装置において、加工条件を設定する際の基準とする、充電電圧、オン時間、オフ時間、寄せ量を有した標準加工条件を保持する加工条件記憶手段と、ワイヤの寄せ量の、ワーク板厚及びノズル高さに対する依存性を示す寄せ量補正情報を記憶する寄せ量補正情報記憶手段と、入力されたワーク板厚及びノズル高さ情報に基づき前記寄せ量補正情報記憶手段に記憶された寄せ量補正情報から、加工におけるワイヤの寄せ量補正値を決定する寄せ量補正値決定手段と、前記加工条件記憶手段に保持され、加工条件記憶手段から送られてきた標準加工条件に含まれるワイヤ寄せ量を、前記決定されたワイヤ寄せ量補正値で変更することにより、前記標準加工条件を変更する寄せ量補正値変更手段とを具備し、前記変更した加工条件によりワークを加工するように構成されている。
【発明の効果】
【０００５】
この発明の第１の構成によれば、ワイヤノズル高さから、加工エネルギー量を決定するようにしたので、ノズルが離れても断線しにくい効果がある。
【０００６】
この発明の第２の構成によれば、ノズル高さにあった加工液流量になるので、断線しにくいという効果がある。
【０００７】
この発明の第３の構成によれば、ワイヤのたわみ量を考慮した寄せ量になるので、面精度がよくなるという効果がある。
【発明を実施するための最良の形態】
【０００８】
以下に、図面に基づいてこの発明の実施例を説明する。なお、以下の図面において、同一または相当する部分には同一の符号を付し、その説明を省略する。
【実施例１】
【０００９】
第１図はこの発明の実施例１を示す構成図である。図において、１は入力手段であり、通常はキーボードが用いられる。２は加工エネルギー決定手段、３は加工エネルギーデータベースであり、このデータベースには第２図に示すように、ワークの板厚、上ノズル高さ、下ノズル高さに対する、ワイヤが断線しない加工エネルギー量が、通常の上記標準加工条件に対する割合として記述されている。ここで、ノズル高さは、例えば上ノズル７０が、第１０図のＡに示すようにワーク７２から離れた状態を表している。この割合のデータは第１回目の加工に関するものだけである。加工エネルギー決定手段２では、加工エネルギーデータベース３から読み出された板厚、上ノズル高さ、下ノズル高さに関するデータに基づき加工エネルギーを決定する。加工エネルギー決定手段２で決定された加工エネルギーのデータは加工条件変更手段４に送られる。５は加工条件記憶手段であり、ノズル密着時(ノズルがワークに密着している)における標準加工条件（ｎ工程：ｎ≧１）として、充電電圧、オン時間、オフ時間、寄せ量等が記憶されている。加工条件変更手段４は、加工エネルギー決定手段２で決定した加工エネルギーを表すデータに基づき加工条件記憶手段から送られた加工条件を変更し、コントローラ７に出力したり、出力、表示手段６の画面（図示せず）に加工条件を表示する。ここで、ノズル高さは、例えば上ノズル７０が、第７図のＡに示すようにワーク７２から離れた状態を表している。第２図はこの発明の実施例１の動作を示すフロー図である。
【００１０】
次に第１回目の動作について第２図により述べる。入力手段１から、加工エネルギー決定手段２へ材質、板厚、ワイヤ径、上ノズル高さ、下ノズル高さ等が入力される(ＳＴ１−１)。加工条件記憶手段３には、材質、板厚、ワイヤ径等によって決定された、ノズルが密着している場合の、あらかじめ記憶された標準加工条件が記憶されており、該標準加工条件が、加工条件変更手段４へ送られる（ＳＴ１−２）。加工エネルギー決定手段２は入力手段１から入力された材質、板厚、ワイヤ径、上ノズル高さ、下ノズル高さ等に基づき、加工エネルギーデータベース３に保存されている第３図に示すようなテープルから、加工エネルギー量を決定する（ＳＴ２−３）。第３図において、例えば、板厚が１０で、上ノズル離れ量が２０、下ノズル離れ量が０の場合の加工エネルギー量は、第２図におけるＮＯ.２の０．５になり、標準１回目の５０％の加工エネルギー量が加工エネルギー決定手段２において決定される。この０．５という情報が加工エネルギー決定手段２から加工条件変更手段４へ送られる。加工条件変更手段４では、加工エネルギー量を５０％にするのは、オフ時間を増やすことにより行う。加工条件変更手段４において、加工エネルギー量から、標準１回目の加工条件を変更する（ＳＴ２−４）。変更した第１回目の加工条件は変更していない第２回目以降の加工条件とともにコントローラ７に送られ、また出力、表示手段６の画面(図示せず)に表示される（ＳＴ１−５）。コントローラ７は、加工条件に従ってワークの第１回目の加工を行う。なお、第２回目以降の加工は、断線しないことから加工エネルギー量を小さくする必要はないため、加工条件を変更することなく加工を行う。この実施例１によれば、ノズル離れ量に応じて、エネルギー量をコントロールするようにしたので、断線が防止できるという効果がある。
【００１１】
実施例１において、加工エネルギー量は加工エネルギーデータベースで記述するようにしたが、ノズル高さと板厚から求まるエネルギー量の近似関係式で持ってもよい。
また、加工エネルギー量を５０％にする方法は、オフ時間を増やす方法について述べたが、オン時間を減らす、サーボ電圧を増やすなど、いろいろな方法を適用することができる。
また、ワイヤノズル離れ量に対応する加工エネルギー量がわからない場合は、直接に加工エネルギー量、例えば、0.4などを入力できるようにしてもよい。
加工条件記憶手段５には、あらかじめ標準加工条件が記憶されているものとしたが、標準加工条件は、別の手段、例えば、ユーザによる入力等によって決定されるものでもよい。
また、エネルギー量の表し方は、標準加工条件の第１回目の加工に対する割合で記述されているが、オン時間、オフ時間等の電流波形情報から、直接に一定時間内のエネルギー量を計算した値でもよい。このエネルギー量は実際のエネルギー量自体を表している。一方第３図におけるエネルギー量は上述したように標準の加工条件に対する割合を表している点で両者は相違する。
【実施例２】
【００１２】
第４図はこの発明の実施例２を示す構成図であり、第５図はこの発明の実施例２の動作を示すフロー図である。図において、１は実施例１と同様の入力手段であり、通常はキーボードが用いられる。３０は加工液流量（以下液流量という。）に関する液流量決定手段、３１は液流量データベースであり、この液流量データベース３１には第６図に示すように、ワークの板厚、上ノズル高さ、下ノズル高さに対する、ワイヤが断線しない量が、通常の上記標準加工条件に対する割合として記述されている。この割合のデータは第１回目の加工に関するものだけである。液流量決定手段３０では、液流量データベース３１から読み出されたデータに基づき液流量を決定する。液流量決定手段３０で決定された液流量のデータは液流量変更手段３２へ送られる。５は実施例１と同様の加工条件記憶手段であり、ノズル密着時(ノズルがワークに密着している)における標準加工条件（ｎ工程：ｎ≧１）として、充電電圧、オン時間、オフ時間、寄せ量、液流量等が記憶されている。液流量変更手段３２は、液流量決定手段３０で決定した液流量に基づき、加工条件記憶手段５から送られた液流量(液流量パラメータ)を変更し、変更された液流量がコントローラ７に出力されるとともに出力、表示手段６の画面（図示せず）に表示される。
【００１３】
次に第１回目の加工動作について第５図により述べる。入力手段１から、液流量決定手段３０へ材質、板厚、ワイヤ径、上ノズル高さ、下ノズル高さ等が入力される(ＳＴ２−１)。加工条件記憶手段５には、材質、板厚、ワイヤ径等によって決定されたノズルが密着している場合の、あらかじめ記憶された標準加工条件が記憶されており、該標準加工条件が、液流量変更手段１２へ送られる（ＳＴ２−２）。液流量決定手段３０では、入力手段１から材質、板厚、ワイヤ径、上ノズル高さ、下ノズル高さ等が入力されると、液流量データベース３１からの液流量に基づき、液流量を決定する（ＳＴ２−３）。例えば、板厚が１０で、上ノズル離れ量が２０、下ノズル離れ量が０の場合の液流量は第６図におけるＮＯ.２の０．５になり、標準１回目の５０％の液流量が液流量決定手段３０において決定される。この５０％という情報が液流量決定手段３０から液流量変更手段３２へ送られる。液流量変更手段３２において、加工条件記憶手段５から送られた液流量について、標準１回目の加工に関する液流量(液流量パラメータ)を変更する（ＳＴ２−４）。変更した第１回目の液流量は変更していない第２回目以降の加工条件と共にコントローラ７に送られる。また、変更された液流量は表示手段６の画面(図示せず)に表示される（ＳＴ２−５）。コントローラ３３は、変更された液流量に従ってワークの第１回目の加工を行う。なお、第２回目以降の加工はワイヤの片側が開放になり液流量の影響を受けないため、液流量を変更することなく加工を行う。
液流量を調整することにより、加工液の流れをスムーズにし、断線を防止する。例えば、上ノズルが離れた場合は、通常より、上ノズル液量を半分程度にした方が断線しにくいことが知られている。この実施例２によれば、ノズル離れ量に応じて、加工液量をコントロールするようにしたので、断線が防止できるという効果がある。
【００１４】
液流量は液流量データベース３１で記述するようにしたが、ノズル高さと板厚から求まる液流量の近似関係式で持ってもよい。
また、加工条件記憶手段５には、あらかじめ標準加工条件が記憶されているものとしたが、標準加工条件は、別の手段、例えばユーザによる入力等によって決定されるものでもよい。
【実施例３】
【００１５】
第７図はこの発明の実施例３を示す構成図であり、第８図はこの発明の実施例３の動作を示すフロー図である。図において、１は入力手段であり、実施例１と同様、通常はキーボードが用いられる。５０は傾き補正値決定手段、５１は傾き補正値データベースであり、このデータベースには第９図に示すように、ワークの板厚、上ノズル高さ、下ノズル高さに対する、精度が補償されるワイヤの傾き補正値が、通常の標準加工における全工程のワイヤ傾きに対する補正値で記述されている。傾き補正値決定手段５０では、傾き補正値データベース５１から読み出されたデータに基づきワイヤの傾き補正値を決定する。傾き補正値決定手段５０で決定された傾き補正値のデータは多工程傾き補正値変更手段５２に送られる。５３は多工程加工条件記憶手段であり、ノズル密着時(ノズルがワークに密着している)における標準加工条件（ｎ工程：ｎ≧１）として、充電電圧、オン時間、オフ時間、寄せ量、ワイヤの傾き等が記憶されている。多工程傾き補正値変更手段５２は、傾き補正値決定手段５０で決定した傾き補正値に基づき多工程加工条件記憶手段５３から送られた加工条件(ワイヤの傾きパラメータ)を変更し、コントローラ５４に出力したり、出力、表示手段６の画面（図示せず）に傾き補正値を表示する。
【００１６】
次に動作について第８図により述べる。入力手段１から、材質、板厚、ワイヤ径、上ノズル高さ、下ノズル高さ等が入力される(ＳＴ３−１)。多工程加工条件記憶手段５３には、材質、板厚、ワイヤ径等によって決定されたノズルが密着している場合の、あらかじめ記憶された標準加工条件が記憶されており、該標準加工条件が、多工程傾き補正値変更手段５２へ送られる（ＳＴ３−２）。傾き補正値決定手段５０は入力手段１から材質、板厚、ワイヤ径、上ノズル高さ、下ノズル高さ等が入力されると、傾き補正値データベース５１から送られた傾き補正値に基づき、傾き補正値を決定する（ＳＴ３−３）。例えば、板厚が１０で、上ノズル離れ量が２０、下ノズル離れ量が０の場合の傾き補正値は第６図におけるＮＯ.２の５になり、この５という情報が傾き補正補正値決定手段５０から多工程傾き補正値変更手段５２へ送られる。多工程傾き補正値変更手段５２において、傾き補正値５を用いて、標準加工条件の１回目〜n回目に対する加工条件の傾き(傾きパラメータ)を変更する（ＳＴ３−４）。変更した第１回目からｎ回目の加工条件はコントローラ５４に送られると共に出力、表示手段６の画面(図示せず)に表示される（ＳＴ３−５）。コントローラ５４は、加工条件に従ってワイヤを傾けて第１回目からｎ回目の加工を行う。
【００１７】
第１０図はノズルがワークから離れた場合のイメージ図である。Ｃは上ノズル７０と下ノズル７１とがワーク７２に密着している場合、Ａ、Ｂの実線は、上ノズル７０がワーク７２から離れ、ワイヤ７３にたわみが生じ、放電反発力、あるいは、静電気力により、ワーク形状にテーパ面Ｔが生じた場合を示している。そこで、例えばＢの場合は、点線で示す通り、上ノズル７０を矢印で示す外側方向に出し、ワイヤ７３の傾き補正値分だけワイヤ７３を角度θだけ傾けることにより、ワーク面は加工により垂直な面Ｐに仕上げることができる。
【００１８】
なお、実施例３では、全工程のワイヤ傾き量を傾き補正値データベース５１に保存された同一の傾き補正値で補正するようにしたが、例えば、第ｎ工程のみ補正するようにしたり、第１工程用、第２工程用、第ｎ工程用と工程に応じ傾き補正値を別々に持ってもよい。
また、ワイヤの傾き補正値は傾き補正値データベース５１で記述するようにしたが、ノズル高さと板厚から求まるワイヤの傾き補正値の近似関係式で持ってもよい。
また、この実施例３では、加工条件にワイヤの傾き補正値を持っているように記述したが、ワイヤの傾き補正値は加工条件とは別に持っていても、加工中にワイヤの傾きを補正できればよいものとする。
以上で述べた実施例１、２では、第１回目の加工における断線を防ぐよう加工条件および液流量を調整したが、実施例３では、加工面の面精度と形状精度とを向上することができる。
【実施例４】
【００１９】
第１１図はこの発明の実施例４を示す構成図であり、第１２図はこの発明の実施例４の動作を示すフロー図である。図において、１は入力手段であり、実施例１と同様に通常はキーボードが用いられる。８１は寄せ量補正値決定手段、８２は寄せ量補正値データベースであり、このデータベースには第１３図に示すように、ワークの板厚、上ノズル高さ、下ノズル高さに対する、精度が補償される第２回目加工の寄せ量補正値が、通常の上記標準加工条件の第２回目加工における寄せ量に対する補正量で記述されている。寄せ量補正値決定手段７１では、寄せ量補正値データベース８２から読み出されたデータに基づき寄せ量補正値を決定する。寄せ量補正値決定手段８１で決定された寄せ量補正値のデータは多工程寄せ量補正値変更手段８３に送られる。８４は多工程加工条件記憶手段であり、ノズル密着時(ノズルがワークに密着している)における標準加工条件データ（ｎ工程：ｎ≧１）として、充電電圧、オン時間、オフ時間、寄せ量等が記憶されている。多工程寄せ量補正値変更手段７３は、寄せ量補正値決定手段８１で決定した寄せ量補正値に基づき多工加工条件記憶手段８４から送られた第２回目加工の寄せ量補正値を変更し、コントローラ８５に出力したり、出力、表示手段６の画面（図示せず）に寄せ量補正値を表示する。
【００２０】
次に動作について第１２図により述べる。入力手段１から、材質、板厚、ワイヤ径、上ノズル高さ、下ノズル高さ等が入力される(ＳＴ４−１)。多工程加工条件記憶手段８４には、材質、板厚、ワイヤ径等によって決定されたノズルが密着している場合の、あらかじめ記憶された標準加工条件が記憶されており、該標準加工条件が、多工程寄せ量変更手段７３へ送られる（ＳＴ４−２）。寄せ量補正値決定手段８１は、入力手段１から材質、板厚、ワイヤ径、上ノズル高さ、下ノズル高さ等が入力されたとき、寄せ量補正値データベース７２の寄せ量補正値に基づき寄せ量補正値を決定する。例えば、板厚が１０で、上ノズル離れ量が２０、下ノズル離れ量が０の場合の寄せ量補正値は第９図におけるＮＯ.２の１０になり、標準加工の第２回目の寄せ量補正値１０が決定される（ＳＴ４−３）。この１０という情報が寄せ量補正値決定手段８１から多工程寄せ量補正値変更手段８３へ送られる。多工程寄せ量補正値変更手段８３では、多工程寄せ量補正値変更手段８３において、寄せ量補正値から、標準２回目の加工条件の寄せ量を変更する（ＳＴ４−４）。変更した第２回目の寄せ量を変更した加工条件は、第１回目の加工条件や第３回目以降の加工条件と共にはコントローラ８５に送られると共に出力、表示手段６の画面(図示せず)に表示される（ＳＴ４−５）。コントローラ８５は、加工条件に従って加工を行う。
第１４図は上ノズル８０と下ノズル８１が離れた場合のイメージ図である。ノズル離れ状態では、ワイヤ８３にたわみが生じ、第２回目の加工を行う場合、ワイヤ７３が実線の位置にあると、ワーク７２の加工面が凹部になっているためワーク中央部に放電が生じなくなる。そこで、上ノズル８０と下ノズル８１を点線で示すように矢印方向へ移動して、寄せ量を変更することにより、加工精度を良くすることができる。ここで、寄せ量は、第１４図において示すように、上ノズル８０と下ノズル８１とを同一距離だけスライドさせる(実線で示す両ノズルとワイヤの位置から破線で示す位置まで)ための距離を意味している。
【００２１】
なお、実施例４では、第２回目加工における寄せ量補正値をデータベースで持つようにしたが、別の工程のみ補正するようにしたり、第１工程用、第２工程用、第n工程用と工程に応じ補正値を別々に持ってもよい。
また、実施例４において、寄せ量に影響する他の加工条件を変更してもよい。例えば、オン時間、加工送り速度、放電電圧等を変更すると、寄せ量が変化するように構成してもよい。
【実施例５】
【００２２】
第１５図はこの発明の実施例５を示す構成図であり、第１６図はこの発明の実施例５の動作を示すフロー図である。図において、１は入力手段であり、実施例１と同様に通常はキーボードが用いられる。１００はノズル高さを自動的に求めるノズル高さ検出手段、１０１は加工速度とノズル離れ量の関係が記述されている加工速度データベース、８１は寄せ量補正値決定手段、８２は寄せ量補正値データベースであり、このデータベースには第１７図に示すように、ワークの板厚、上ノズル高さ、下ノズル高さに対する、精度が補償される第２回目加工の寄せ量補正値が、通常における上記標準加工条件の第２回目加工の寄せ量に対する補正量で記述されている。寄せ量補正値決定手段７１では、寄せ量補正値データベース８２から読み出されたデータに基づき寄せ量補正値を決定する。寄せ量補正値決定手段８１で決定された寄せ量補正値のデータは多工程寄せ量補正値変更手段８３に送られる。８４は多工程加工条件記憶手段であり、ノズル密着時(ノズルがワークに密着している)における標準加工条件データ（n工程：ｎ≧１）として、充電電圧、オン時間、オフ時間、寄せ量等が記憶されている。多工程寄せ量補正値変更手段８３は、寄せ量補正値決定手段８１で決定した寄せ量補正値に基づき多工加工条件記憶手段８４から送られた第２回目加工の寄せ量補正値を変更し、コントローラ８５に出力したり、出力、表示手段６の画面（図示せず）に寄せ量補正値を表示する。
【００２３】
次に動作について第１６図により述べる。入力手段１から、材質、板厚、ワイヤ径等が入力される(ＳＴ５−１)。多工程加工条件記憶手段８４には、材質、板厚、ワイヤ径等によって決定されたノズルが密着している場合の、あらかじめ記憶された標準加工条件が記憶されており、該標準加工条件が、多工程寄せ量変更手段８３へ送られる。加工が開始される(ＳＴ５−２)。一回目加工中、ノズル高さ検出手段１００は、加工速度を検出し、第１５図に表された加工速度データベース１０１からノズル高さを抽出し(ＳＴ５−４)、表示手段６の画面（図示せず）に第１８図のＣで示すようにノズル高さを表示する(ＳＴ５−５)。ここで、第１８図は表示画面を示しており、この画面には上ノズル７０、下ノズル７１、ワーク７２、上ノズル、下ノズルの高さを入力するスペース７５、７６が表示されており、Ｃに示すようにスペース７５には２０の値が表示されると共に、この２０の値が表示画面上の座標値に変換されて上ノズルの高さが２０ｍｍとなるような位置に上ノズル７０が表示される。ノズルが離れると、ワイヤの振動幅が大きくなるため、実質の加工量が増加し、加工速度が遅くなることがわかっている。第１２図によれば、例えば、加工速度が５の時はＮｏ．２に示すように上ノズルが２０、下ノズルが０となる。寄せ量補正値決定手段８１は、入力手段１から材質、板厚、ワイヤ径が、ノズル高さ検出手段１００から、上ノズル高さ、下ノズル高さ等が入力されたとき、寄せ量補正値データベース７２の寄せ量補正値に基づき寄せ量補正値を決定する（ＳＴ５−６）。例えば、板厚が１０で、上ノズル離れ量が２０、下ノズル離れ量が０の場合の寄せ量補正値は第９図におけるＮＯ.２の１０になり、標準加工の第２回目の寄せ量補正値１０が決定される。この１０という情報が寄せ量補正値決定手段８１から多工程寄せ量補正値変更手段８３へ送られる。多工程寄せ量補正値変更手段８３では、多工程寄せ量補正値変更手段８３において、寄せ量補正値から、標準２回目の加工条件の寄せ量を変更する（ＳＴ５−７）。変更した第２回目の寄せ量を変更した加工条件は、第１回目の加工条件や第３回目以降の加工条件と共にはコントローラ８５に送られると共に出力、表示手段６の画面(図示せず)に表示される（ＳＴ５−８）。コントローラ８５は、加工条件に従って加工を行う。
【００２４】
なお、実施例５では、検出されたノズル高さを表示手段に表示するようにしたが、ユーザが実施例１〜４でノズル高さを入力したときに、表示するようにしてもよい。その場合は、初期状態が第１８図のＡで、ユーザがＢのようにノズル高さ「２０」を入力すると、２０の値を画面表示上の座標値に変換して、この変換値に基づいてＣのようにノズルが２０mm高くなった位置に上ノズルが移動したグラフィック画面が表示される。
なお、上記各実施例では、入力は、ユーザがキーボードから入力するようにしたが、他の入力手段や、あるいは、ノズルの高さを自動的に計測する外付けシステムなどから入力される値であってもよい。
この実施例５では、加工状態を加工速度として検出しているため、ユーザがノズル高さ等のデータを入力しなくても自動的にノズルの高さに適合した補正が行われ、面精度を向上させることができる。
【００２５】
以上で説明した全ての実施例において、ワイヤ放電加工装置の中に構成しているように記述したが、ワイヤ放電加工装置の外に、例えば、ＣＡＤ／ＣＡＭシステムの上にあっても構わないものとする。このように場合も、分離されたＣＡＤ／ＣＡＭを含めてワイヤ放電加工装置が構成されるとして、本発明の範囲に包含される。
【産業上の利用可能性】
【００２６】
この発明は、ワイヤ放電加工装置におけるワイヤの断線を改善することができ、加工面の面精度、形状精度を向上させることから、ワイヤ放電加工には有効に利用することができる。
【図面の簡単な説明】
【００２７】
【図１】この発明の実施例１による構成を示すブロック図である。
【図２】この発明の実施例１の動作を示すフロー図である。
【図３】この発明の実施例１における加工エネルギーデータベースの構成を示す説明図である。
【図４】この発明の実施例２による構成を示すブロック図である。
【図５】この発明の実施例２の動作を示すフロー図である。
【図６】この発明の実施例２における液流量データベースの構成を示す説明図である。
【図７】この発明の実施例３による構成を示すブロック図である。
【図８】この発明の実施例３の動作を示すフロー図である。
【図９】この発明の実施例３における傾き補正値データベースの構成を示す説明図である。
【図１０】この発明の実施例３におけるワイヤの状態を示す構成図である。
【図１１】この発明の実施例４による構成を示すブロック図である。
【図１２】この発明の実施例４の動作を示すフロー図である。
【図１３】この発明の実施例４における傾き寄せ量補正値データベースの構成を示す説明図である。
【図１４】この発明の実施例４におけるワイヤの状態を示す構成図である。
【図１５】この発明の実施例５による構成を示すブロック図である。
【図１６】この発明の実施例５の動作を示すフロー図である。
【図１７】この発明の実施例５による加工速度データベースの構成を示す説明図である。
【図１８】この発明の実施例１〜４におけるワイヤノズル離れ状態をグラフィックとして表示する構成図である。
【図１９】従来におけるワイヤ放電加工装置の構成を示すブロック図である。
【符号の説明】
【００２８】
１  入力手段、  ２  加工エネルギー決定手段、  ４  加工条件変更手段、  ５
加工条件記憶手段、  ３０液流量決定手段、  ３２  液流量変更手段、  ５０
傾き補正値決定手段、  ５２  多工程傾き補正値変更手段、  ５３  多工程加工条件記憶手段、  ８１  寄せ量補正値決定手段、  ８３  多工程傾き補正値変更手段、  ８４  多工程加工条件記憶手段、  １００  ノズル高さ検出手段。
【図１】
2006130657.tif 000003
【図２】
2006130657.tif 000004
【図３】
2006130657.tif 000005
【図４】
2006130657.tif 000006
【図５】
2006130657.tif 000007
【図６】
2006130657.tif 000008
【図７】
2006130657.tif 000009
【図８】
2006130657.tif 000010
【図９】
2006130657.tif 000011
【図１０】
2006130657.tif 000012
【図１１】
2006130657.tif 000013
【図１２】
2006130657.tif 000014
【図１３】
2006130657.tif 000015
【図１４】
2006130657.tif 000016
【図１５】
2006130657.tif 000017
【図１６】
2006130657.tif 000018
【図１７】
2006130657.tif 000019
【図１８】
2006130657.tif 000020
【図１９】
2006130657.tif 000021